(57)【要約】【課題】  ボタン押下式スイッチを使用せずに通電・非通電状態を切替え、充電をしていない時はＡＣアダプタに通電しない事により電力の消費を抑え、かつボタン押下式スイッチを搭載しなくてもよい省スペース構造を有する直差し型充電器を提供する。【解決手段】  商用交流電源に接続するプラグ２の軸に設けた接点部２１と、基板導電部３１が接触することにより基板６１の内部回路に通電する。また、プラグ２および軸を所定の位置まで回転した場合、接点部２１と基板導電部３１が接触しないため非通電状態となる。【選択図】  図２
0003170960.tif 000002
【実用新案登録請求の範囲】
【請求項１】
商用交流電源からの電力を直流電圧に変換して給電するＡＣアダプタを内蔵する充電器の構造であって、
前記充電器の内部回路に通電する接触面を備えた導電部と、ＡＣプラグに取り付けられた回転軸部と、前記回転軸部に設置され回転軸部が所定の位置に回転することにより前記導電部と接触し通電する接触部と、前記回転軸部に設置され回転軸部が所定の位置に回転することにより前記動線部と接触し電気的に絶縁する絶縁部と、を有し、
前記商用交流電源に前記ＡＣプラグを接続し、前記回転軸部に設置された前記接触部と前記導電部が接触している場合には前記充電器の内部回路に通電し、また前記回転軸部を所定の位置まで回転させることにより前記回転軸部に設置された前記絶縁部と前記導電部が接触した場合に前記充電器の内部回路を絶縁する事を特徴とする直差し充電器の構造。
【考案の詳細な説明】
【技術分野】
【０００１】
本考案は、ＡＣアダプタを内蔵し、通電・非通電状態の切替え機能を有する充電器の構造に関するものである。
【背景技術】
【０００２】
商用交流電源からの電力を直流電圧に変換して携帯電話機の充電器等へ給電するＡＣアダプタは、
携帯電話機を充電していない状態でも、ＡＣプラグが商用交流電源のコンセントに挿入されているだけで、僅かながら電力が消費されている。この電力消費を抑えるため、ＡＣアダプタと充電器を一体化し、充電器に搭載されたボタン押下式スイッチにより通電・非通電状態を切替え、ボタンを押下していない場合はＡＣアダプタに通電をしない構造が開示されている（例えば特許文献１）。
【０００３】
しかしながら、特許文献１に記載されている構造によると、ボタン押下式スイッチを搭載するスペースを必要とするため、充電器自体が大きくなってしまうという欠点があった。
【先行技術文献】
【特許文献】
【０００４】
【特許文献１】特開２００１−３４６３３５号公報
【考案の概要】
【考案が解決しようとする課題】
【０００５】
本考案の課題は、ボタン押下式スイッチを使用せずに通電・非通電状態を切替え、充電をしていない時はＡＣアダプタに通電しない事により電力の消費を抑え、かつボタン押下式スイッチを搭載しなくてもよい省スペース構造を有する直差し型充電器を提供することにある。
【課題を解決するための手段】
【０００６】
上記の課題を解決するために、本考案は商用交流電源からの電力を直流電圧に変換して給電するＡＣアダプタを内蔵する充電器の構造であって、前記充電器の内部回路に通電する接触面を備えた導電部と、ＡＣプラグに取り付けられた回転軸部と、前記回転軸部に設置され回転軸部が所定の位置に回転することにより前記導電部と接触し通電する接触部と、前記回転軸部に設置され回転軸部が所定の位置に回転することにより前記動線部と接触し電気的に絶縁する絶縁部と、を有し、前記商用交流電源に前記ＡＣプラグを接続し、前記回転軸部に設置された前記接触部と前記導電部が接触している場合には前記充電器の内部回路に通電し、また前記回転軸部を所定の位置まで回転させることにより前記回転軸部に設置された前記絶縁部と前記導電部が接触した場合に前記充電器の内部回路を絶縁する事を特徴とする。
【考案の効果】
【０００７】
本考案によれば、ＡＣアダプタの電力消費を抑え、ボタン押下式スイッチを搭載しない省スペース構造を有する直差し型充電器を提供することができる。
【図面の簡単な説明】
【０００８】
【図１】本考案における直差し型充電器全体の斜視図
【図２】（ａ）本考案における直差し型充電器の内部構造の斜視図          （ｂ）プラグ２と基板導電部３１、３２における構造の拡大図
【図３】（ａ）プラグ２の斜視図          （ｂ）プラグ２の側面図
【図４】基板導電部３１、３２の斜視図
【図５】切替えスイッチ４の斜視図
【図６】充電端子部５１の斜視図
【図７】基板６１の斜視図
【図８】（ａ）図２の切替えスイッチを切替えた場合における内部構造の斜視図          （ｂ）プラグ２と基板導電部３１、３２の構造の拡大図
【図９】（ａ）プラグ２を商用交流電源に接続し収納した状態における内部構造の斜視図          （ｂ）プラグ２と基板導電部３１、３２の構造の拡大図
【考案を実施するための形態】
【実施例】
【０００９】
図１は本考案における直差し型充電器（以下、本充電器とも呼称することもある）を使用した一例の斜視図であって、携帯電話１をアダプタ３に装着し、プラグ２が商用交流電源に接続され、切替えスイッチ４が後述する通電状態にあることを示す。尚、本実施例においては図１の様にアダプタ３に携帯電話１を装着出来る状態の事を展開した状態とし、また図１からプラグ２を軸としてアダプタ３を回転させ、垂直に立てた状態の事を収納した状態と呼称する。
【００１０】
図２に本充電器の使用時における内部構造の斜視図であって、プラグ２を商用交流電源に挿入し、本充電器を展開した状態で使用した場合の図を示す。
図２は、プラグ２、プラグ２の接点部２１、２２、基板導電部３１、３２、切替えスイッチ４、充電端子５１、基板６１で構成される。プラグ２の接点部２１と、基板導電部３１が接触している状態であり、基板導電部３１が切替えスイッチ４と接触し、切替えスイッチ４は充電端子５１と接続されていることにより、携帯電話１に通電する事ができる。この場合、プラグ２の接点部２２は基板導電部３２と接触していないため、通電しない。
【００１１】
図３にプラグ２の詳細構造を示す。プラグ２は接点部２１と、接点部２１と並行しない位置までプラグの軸を中心に所定の角度ずらして配置した（ここでは直角とする）接点部２２、接点部２１、２２と直結するプラグ先端２５、接点部２１，２２を覆う絶縁部２８、プラグ先端２５を固定する軸２７から構成される。
尚、本実施例ではプラグ２の軸を四角柱の形状として表現し、接点部２１を四角柱の上下面に、接点部２２を側面に配置しているが、本考案はこれに限定されない。接点部２１と接点部２２が同時に基板導電部３１、３２に接触しないという条件で本考案は成立するため、プラグ２の軸の形状は前記の条件が満たされる形状であればよい。
【００１２】
図４に基板導電部３１、３２の詳細構造を示す。基板導電部３１、３２はプラグ接触面３５と、スイッチ接触面３６から構成される。
【００１３】
図５に切替えスイッチ４の詳細構造を示す。切替えスイッチ４は導電部４１、４２と、非導電体で導電部４１、４２を繋ぎかつスイッチつまみの役割を持つ突起部４３から構成される。
【００１４】
図６に充電端子５１を示す。充電端子５１は、携帯電話接触部５２と、スイッチ接触部５３から構成される。
【００１５】
図７に基板６１の詳細構造を示す。基板６１は、プラグ２の軸と接触する基板導電部３１、３２と、携帯電話１と接触する充電端子５１から構成される。
【００１６】
図８に、図２の状態から切替えスイッチ４を切替えた場合の図を示す。切替えスイッチ４の導電部４１，４２は基板導電部３２のスイッチ接触面３６と接触しているため、プラグ２の接点部２１と、基板導電部３１のプラグ接触面３５が接触しているが、基板導電部３１のスイッチ接触面３６が切替えスイッチ４の導電部４１，４２と接触せず、通電しない。
【００１７】
図９に、プラグ２を商用交流電源に挿入し、本充電器を収納した状態で使用した場合の図を示す。この場合、プラグ２の接点部２１と基板導電部３１のプラグ接触面３５が接触していないため、通電しない。ここで、本充電器を収納した状態から切替えスイッチ４を図８に示す位置に移動することにより、プラグ２の接点部２２と基板導電部３２のプラグ接触面３５が接触し、また基板導電部３２のスイッチ接触面３６と切替えスイッチ４の導電部４１、４２が接触するため、前記収納した状態において通電を行うことができる。
【符号の説明】
【００１８】
１・・・・携帯電話
２・・・・ＡＣプラグ
３・・・・アダプタ
４・・・・切替えスイッチ
２１，２２・・・・接点部
２５・・・・プラグ先端
２７・・・・軸
２８・・・・絶縁部
３１，３２・・・・基板導電部
３５・・・・プラグ接触面
３６・・・・スイッチ接触面
４１，４２・・・・導電部
４３・・・・突起部
５１・・・・充電端子
５２・・・・携帯電話接触部
５３・・・・スイッチ接触部
６１・・・・基板
【図１】
0003170960.tif 000003
【図２】
0003170960.tif 000004
【図３】
0003170960.tif 000005
【図４】
0003170960.tif 000006
【図５】
0003170960.tif 000007
【図６】
0003170960.tif 000008
【図７】
0003170960.tif 000009
【図８】
0003170960.tif 000010
【図９】
0003170960.tif 000011